(57)【要約】【課題】誤操作を防止して利便性を向上させることができる開放角度規制手段を有した建具を提供すること。【解決手段】開放角度規制装置２０における操作つまみ２５の規制位置からの移動を操作規制手段（挿通孔１３Ａおよび突出片部２５Ａの嵌合）で規制したことで、操作つまみ２５の誤操作を防止することができ、操作つまみ２５が規制されていることが明確に判別できることから、利用者の意図に反した動作が防止できて利便性を向上させることができる。また、操作規制手段による操作つまみ２５の規制を解除して操作つまみ２５を解除位置に移動操作することで、必要に応じて障子を全開させることができる。【選択図】図４
2008163548.tif 000002
【特許請求の範囲】
【請求項１】
窓枠と、この窓枠に開放可能に支持された障子と、この障子を所定の開放角度に規制する開放角度規制手段とを備えた建具であって、
前記開放角度規制手段は、前記窓枠および障子のいずれか一方に一端が連結されるとともに他端が当該窓枠および障子の他方に係脱可能に連結される角度規制アームと、この角度規制アームの他端を前記窓枠または障子に連結させる規制位置と連結を解除させる解除位置との間を移動操作可能に設けられた操作部材と、この操作部材を前記規制位置および解除位置のいずれか一方に位置規制する操作規制手段とを備えて構成されている建具。
【請求項２】
前記操作規制手段は、前記操作部材に設けられて室内側に向かって突出した被規制部と、この被規制部に当接して前記操作部材を移動不能にする規制部とで構成され、
前記規制部は、前記障子よりも室内側において前記窓枠に取り付けられる窓機能部材の室外面に設けられている請求項１に記載の建具。
【請求項３】
前記窓機能部材は、前記障子の室内側を覆う網戸であり、この網戸の框材に設けられて前記被規制部と嵌合可能な凹部で前記規制部が構成され、
前記被規制部が非位置規制の状態では、当該被規制部が前記窓機能部材の前記凹部以外の箇所と干渉して当該窓機能部材が前記窓枠に取り付け不能となる請求項２に記載の建具。
【請求項４】
前記凹部は、前記網戸の框材に形成された孔と、この孔を塞ぐとともに室内側に凹んだ塞ぎ材とで構成されている請求項３に記載の建具。
【請求項５】
前記窓機能部材は、前記障子の室内側を覆う網戸であり、この網戸の框材から室外側に突出して取り付けられて前記被規制部と当接可能な突出部材で前記規制部が構成され、
前記被規制部が非位置規制の状態では、当該被規制部と前記突出部材とが前記当接した箇所以外の箇所で干渉して当該窓機能部材が前記窓枠に取り付け不能となる請求項２に記載の建具。
【請求項６】
前記規制部には、前記操作部材が前記規制位置および解除位置の他方に位置した状態で前記窓機能部材を室内側から前記窓枠に取り付ける際に、前記被規制部に当接して前記規制位置および解除位置の一方に向かって前記操作部材を移動させる移動案内部が設けられている請求項２から請求項５のいずれかに記載の建具。
【請求項７】
前記操作規制手段は、前記操作部材を前記規制位置に位置規制する請求項１から請求項６のいずれかに記載の建具。
【発明の詳細な説明】
【技術分野】
【０００１】
本発明は、建具に関し、詳しくは、窓枠に開放可能に支持された障子と、この障子の開放角度を規制する開放角度規制手段とを備えた建具に関する。
【背景技術】
【０００２】
従来、開き窓や縦（横）辷出し窓、突き出し窓、外倒し窓等の建具において、換気のために所定角度だけ開放した位置で障子の開き角度を規制する規制装置が提案されている（例えば、特許文献１参照）。
特許文献１に記載された規制装置は、障子の縦框に一端が軸支された規制アームと、窓縦枠に設けられて規制アームの他端のピンを摺動支持する支持部材と、この支持部材に設けられた開口を閉鎖または開放して規制アームのピンと支持部材との係脱状態を切り替える操作部材と備えて構成されている。この規制装置では、障子を閉じた状態で操作部材を規制位置にスライド操作することで、支持部材の開口を閉鎖して規制アームのピンが支持部材に支持され、この状態で障子を開放すれば規制アームによって障子の開き角度が規制されるようになっている。一方、障子を閉じた状態で操作部材を解除位置にスライド操作することで、支持部材の開口が開放され、この状態で障子を開放すれば、規制アームのピンが開口を通って支持部材から外れ、規制装置に規制されることなく障子が全開できるようになっている。
【０００３】
【特許文献１】特許第３５０５６４１号公報
【発明の開示】
【発明が解決しようとする課題】
【０００４】
しかしながら、従来の建具における障子の開き角度規制装置では、操作部材が規制位置にあるか、または解除位置にあるかが利用者から判別しにくく、誤操作を引き起こしてしまう可能性がある。すなわち、操作部材が解除位置にあるにも関わらず規制位置にあるものとして障子を開放すると、利用者の意図に反して障子が大きく開きすぎてしまったり、操作部材が規制位置にあるにも関わらず解除位置にあるものとして障子を勢いよく開放すると、規制アームで障子の開放が規制されて規制装置に強い衝撃が加わってしまったり等、利用上の不都合が生じてしまい利便性の点で問題であった。
【０００５】
本発明の目的は、誤操作を防止して利便性を向上させることができる開放角度規制手段を有した建具を提供することにある。
【課題を解決するための手段】
【０００６】
本発明の建具は、窓枠と、この窓枠に開放可能に支持された障子と、この障子を所定の開放角度に規制する開放角度規制手段とを備えた建具であって、前記開放角度規制手段は、前記窓枠および障子のいずれか一方に一端が連結されるとともに他端が当該窓枠および障子の他方に係脱可能に連結される角度規制アームと、この角度規制アームの他端を前記窓枠または障子に連結させる規制位置と連結を解除させる解除位置との間を移動操作可能に設けられた操作部材と、この操作部材を前記規制位置および解除位置のいずれか一方に位置規制する操作規制手段とを備えて構成されていることを特徴とする。
【０００７】
ここで、本発明の建具としては、障子が回動開閉可能に支持されたものであればよく、開き窓や縦（横）辷出し窓、突き出し窓、外倒し窓等、任意の開き形式の窓に適用可能である。また、開放角度規制手段における角度規制アームの一端は、窓枠側に連結されていてもよく、あるいは障子側に連結されていてもよい。さらに、操作部材は、窓枠側に設けられていてもよく、あるいは障子側に設けられていてもよい。そして、操作規制手段で位置規制する操作部材の位置としては、規制位置および解除位置のいずれであってもよく、利用者の所望する位置に応じて適宜に設定すればよい。
【０００８】
以上の本発明によれば、操作規制手段によって操作部材を規制位置または解除位置に位置規制したことで、操作部材の誤操作を防止することができるとともに、操作部材が位置規制されていることで、その位置が明確に判別できることから、障子の開放操作の際に障子が大きく開きすぎたり、あるいは衝撃を伴って開放操作が規制されたりなど、利用者の意図に反した動作が防止でき、利便性を向上させることができる。また、操作規制手段による操作部材の位置規制を解除することで、操作部材を規制位置から解除位置、または解除位置から規制位置に移動操作することができ、必要に応じて障子を全開させたり、障子の開放角度を規制したりの動作状態を切り替えることができる。
【０００９】
この際、本発明の建具では、前記操作規制手段は、前記操作部材に設けられて室内側に向かって突出した被規制部と、この被規制部に当接して前記操作部材を移動不能にする規制部とで構成され、前記規制部は、前記障子よりも室内側において前記窓枠に取り付けられる窓機能部材の室外面に設けられていることが好ましい。
ここで、窓機能部材としては、例えば、障子の室内側を覆って取り付けられる網戸や、障子の室内側において遮光状態と透光状態とが切り替え可能に設けられたブラインドやロールスクリーンなどが例示できる。そして、窓機能部材が網戸である場合には、その四周枠を構成する框材の室外面に規制部が設けられることが好ましく、また窓機能部材がブラインドやロールスクリーンである場合には、その案内レールや窓枠への取付枠の室外面に規制部が設けられることが好ましい。
このような構成によれば、窓機能部材を窓枠に取り付けた状態（通常使用状態）において、窓機能部材の規制部によって操作部材の被規制部の移動を規制することで、操作部材の誤操作を防止することができる。また、窓機能部材の室外面に設けた規制部で操作部材の被規制部を移動規制することで、これらの規制部や被規制部が室内側から目立たないようにでき、建具の意匠性を良好にすることができる。
【００１０】
さらに、本発明の建具では、前記窓機能部材は、前記障子の室内側を覆う網戸であり、この網戸の框材に設けられて前記被規制部と嵌合可能な凹部で前記規制部が構成され、前記被規制部が非位置規制の状態では、当該被規制部が前記窓機能部材の前記凹部以外の箇所と干渉して当該窓機能部材が前記窓枠に取り付け不能となることが好ましい。
この際、前記凹部は、前記網戸の框材に形成された孔と、この孔を塞ぐとともに室内側に凹んだ塞ぎ材とで構成されていることが好ましい。
このような構成によれば、網戸の框材に設けた凹部を被規制部と嵌合させて操作部材の移動操作を規制することで、別途の部材を用意しなくても、網戸を窓枠に取り付けるだけで操作規制手段を構成することができる。そして、位置規制しようとする側（規制位置および解除位置の一方側）に操作部材が位置しない場合には、凹部以外の箇所に被規制部がぶつかってしまい、網戸が正常に取り付けられないことから、操作部材の位置が適切でないことを利用者に認知させることができる。
また、凹部を孔と塞ぎ材とで構成すれば、孔から框材内部への埃やゴミ、虫等が入り込むことが防止できる。
【００１１】
また、本発明の建具では、前記窓機能部材は、前記障子の室内側を覆う網戸であり、この網戸の框材から室外側に突出して取り付けられて前記被規制部と当接可能な突出部材で前記規制部が構成され、前記被規制部が非位置規制の状態では、当該被規制部と前記突出部材とが前記当接した箇所以外の箇所で干渉して当該窓機能部材が前記窓枠に取り付け不能となる構成でもよい。
このような構成によれば、網戸の框材に突出部材を取り付けるだけで規制部を構成することができ、框材の加工を少なくして製造工程を簡単化することができるとともに、後付けで網戸に規制部を設けることも可能になる。そして、位置規制しようとする側（規制位置および解除位置の一方側）に操作部材が位置しない場合には、前述した当接箇所とは別の箇所で被規制部と突出部材とがぶつかってしまい、網戸が正常に取り付けられないことから、操作部材の位置が適切でないことを利用者に認知させることができる。
【００１２】
以上において、本発明の建具では、前記規制部には、前記操作部材が前記規制位置および解除位置の他方に位置した状態で前記窓機能部材を室内側から前記窓枠に取り付ける際に、前記被規制部に当接して前記規制位置および解除位置の一方に向かって前記操作部材を移動させる移動案内部が設けられていることが好ましい。
このような構成によれば、窓機能部材の取り付け前において、位置規制しようとする側（規制位置および解除位置の一方側）に操作部材が位置しない場合であっても、規制部に設けた移動案内部で被規制部（操作部材）を位置規制しようとする側に移動させることで、通常使用状態において、操作部材を適切な位置にて移動規制することができる。
【００１３】
また、本発明の建具では、前記操作規制手段は、前記操作部材を前記規制位置に位置規制することが好ましい。
このような構成によれば、角度規制アームの他端を窓枠または障子に連結させる規制位置に操作部材が位置決めされることで、意図せずに操作部材が解除位置に移動してしまうことが防止でき、不用意に障子が大きく開きすぎてしまうことが防止できるとともに、角度規制アームが連結されない状態で障子が開くことが防止でき、防犯性を向上させることもできる。
【発明を実施するための最良の形態】
【００１４】
以下、本発明の各実施形態を図面に基づいて説明する。
なお、第２実施形態以降において、次の第１実施形態で説明する構成部材と同じ構成部材、および同様な機能を有する構成部材には、第１実施形態の構成部材と同じ符号を付し、それらの説明を省略または簡略化する。
【００１５】
〔第１実施形態〕
図１は、本発明の第１実施形態に係る建具である縦辷り出し窓１の一部を示す横断面図である。図２は、縦辷出し窓１の障子６を省略して示す縦断面図である。図３は、縦辷り出し窓１の要部を拡大して示す横断面図である。図４、図５は、それぞれ縦辷出し窓１に設けた障子の開放角度規制装置２０を示す側面図である。
【００１６】
図１および図２において、縦辷出し窓１は、窓枠２と、この窓枠２内部に開閉自在に支持された障子６と、この障子６の室内側を覆って窓枠２に取り付けられた窓機能部材としての網戸１０とを有して構成されている。窓枠２は、それぞれアルミ形材製の上枠３、下枠４および左右の縦枠５を四周枠組みして形成され、建物の外壁開口部に固定されている。窓枠２の下枠４には、障子６を開閉操作するためのオペレータハンドル９が取り付けられており、このオペレータハンドル９を操作することで、網戸１０が取り付けられた状態のままで障子６が開閉できるようになっている。
【００１７】
障子６は、それぞれアルミ形材製の上框（不図示）、下框（不図示）および左右の縦框７を四周框組みした内部にガラスパネル８を嵌め込んで構成され、図示しない支持装置によって窓枠２に支持され、一方（図１の右側）の縦框７が室外側に開くようになっている。網戸１０は、それぞれアルミ形材製の上框１１、下框１２および左右の縦框１３を四周框組みした内部にネット１４を張って構成され、上框１１および下框１２がそれぞれ上枠３および下枠４に係合されて室内側から窓枠２に取り付けられている。
そして、障子６の開放側の縦框７と、この縦框７に気密材５Ａ，５Ｂを介して当接可能な縦枠５との間には、これらを連結することで障子６の開放角度を規制する開放角度規制装置（開放角度規制手段）２０が設けられている。
【００１８】
開放角度規制装置２０は、図３〜図５に示すように、縦枠５に固定される支持部２１と、この支持部２１に一端が軸支された角度規制アーム２２と、障子６の縦框７に固定されるとともに角度規制アーム２２先端（他端）のピン２２Ａと係脱自在に連結される連結受け部２３と、支持部２１から縦枠５と縦框７との間（気密材５Ａの部分）を介して室内側に延びる延出片２４と、延出片２４の先端である室内位置に設けられる操作つまみ２５とを有して構成されている。延出片２４は、上下スライド可能に支持部２１に支持されるとともに、支持部２１内部で角度規制アーム２２に接続されており、この操作つまみ２５を上下に操作して延出片２４をスライドさせることで、図５に示すように角度規制アーム２２が移動するように構成されている。すなわち、延出片２４および操作つまみ２５によって本発明の操作部材が構成されている。
【００１９】
図５に実線で示すように、操作つまみ２５を下方に押し下げ操作して延出片２４が下側にスライドされた状態（規制位置）において、角度規制アーム２２は、その先端が障子６の縦框７側に回動し、ピン２２Ａが連結受け部２３に係合する係合位置に移動される。このように係合位置に角度規制アーム２２が移動操作された状態において、障子６を開放すると、図１に示すように、角度規制アーム２２によって障子６の開放角度が規制され、窓枠２と障子６との間に換気用の隙間が形成された位置（開放規制位置）以上に障子６が開放できないようになっている。一方、図５に二点鎖線で示すように、操作つまみ２５を上方に押し上げ操作して延出片２４が上側にスライドされた状態（解除位置）において、角度規制アーム２２は、その先端が縦枠５側に回動し、ピン２２Ａが連結受け部２３から外れて連結が外れる非係合位置に移動される。このように非係合位置に角度規制アーム２２が移動操作された状態では、角度規制アーム２２による規制がなされず、障子６が開放規制位置を超えて全開位置まで開放可能になる。
【００２０】
開放角度規制装置２０の操作つまみ２５は、金属製の板材から折り曲げ加工され、室内側に向かって突出した被規制部としての突出片部２５Ａを有して形成されている。この突出片部２５Ａは、網戸１０の縦框１３室外面よりも見込み方向室内側まで延びて形成されている。そして、網戸１０の縦框１３室外面には、突出片部２５Ａを受け入れ可能な規制部（凹部）としての挿通孔１３Ａが形成されている。この挿通孔１３Ａは、操作つまみ２５を規制位置に押し下げた状態の突出片部２５Ａを挿通させる高さ位置に形成されており、操作つまみ２５を解除位置に押し上げた状態（非位置規制の状態）の突出片部２５Ａは、挿通孔１３Ａから上側にずれて縦框１３室外面に当接するようになっている。
【００２１】
そして、網戸１０が窓枠２に取り付けられて挿通孔１３Ａに突出片部２５Ａが挿通された状態において、操作つまみ２５は、縦框１３で隠蔽されるとともに、突出片部２５Ａが挿通孔１３Ａの上端縁に当接することで押し上げ操作不能つまり解除位置に移動操作することができず、規制位置に位置規制されるようになっている。すなわち、互いに嵌合する突出片部２５Ａと挿通孔１３Ａとによって本発明の操作規制手段が構成されている。
一方、網戸１０を取り外して操作つまみ２５を解除位置に押し上げ操作した状態（非位置規制の状態）から、網戸１０を窓枠２に取り付けようとしても、突出片部２５Ａが縦框１３室外面（窓機能部材の凹部以外の箇所）に当接するために所定の見込み位置に納まらず、網戸１０を取り付けることができない。従って、操作つまみ２５が解除位置に位置し、障子６の開放角度規制が解除されていることが利用者に判別できるようになっている。
【００２２】
このような本実施形態によれば、以下のような効果がある。
（１）網戸１０の縦框１３に形成した挿通孔１３Ａに突出片部２５Ａを挿入して操作つまみ２５を規制位置に位置規制したことで、操作つまみ２５の誤操作を防止することができる。また、操作つまみ２５が規制位置に位置規制されていることが利用者から判別できることから、障子６の開放操作の際に勢いよく操作することが抑制され、利用者の利便性を向上させることができる。さらに、通常使用状態において、操作つまみ２５が規制位置に位置規制されていることで、障子６が大きく開きすぎてしまうことがなく、防犯性を向上させることもできる。
【００２３】
（２）また、障子６を清掃する際などには、網戸１０を外すことで操作つまみ２５の位置規制を解除し、操作つまみ２５を規制位置から解除位置に移動操作することで、必要に応じて障子６を全開することができる。そして、操作つまみ２５を規制位置に戻してから網戸１０を再度取り付ければ、突出片部２５Ａが挿通孔１３Ａに挿通されることで、網戸１０が所定位置に取り付けられると同時に操作つまみ２５による規制状態も維持することができる。
【００２４】
（３）また、網戸１０の縦框１３室外面に形成した挿通孔１３Ａと、操作つまみ２５の突出片部２５Ａとの嵌合によって操作つまみ２５が位置規制されることで、網戸１０を取り付けた通常使用状態かつ操作つまみ２５の位置規制状態において、操作規制手段である挿通孔１３Ａや突出片部２５Ａが室外側に露出せず、縦辷出し窓１の意匠性を良好にすることができる。
【００２５】
（４）また、一旦取り外した網戸１０を再度取り付ける際に、操作つまみ２５が解除位置にある場合には、突出片部２５Ａが縦框１３室外面に当接して網戸１０を取り付けることができないことで、操作つまみ２５が解除位置にあることが利用者に判別でき、解除位置のままで使用し続けるような事態が防止できる。
【００２６】
〔第２実施形態〕
次に、本発明の第２実施形態を図６および図７に基づいて説明する。
図６は、第２実施形態に係る縦辷出し窓１に設けた障子の開放角度規制装置２０Ａを示す側面図である。図７および図８は、それぞれ本実施形態の変形例に係る開放角度規制装置２０Ｂ，２０Ｃを示す側面図である。
本実施形態において、縦辷出し窓１の窓枠２や障子６は、前記第１実施形態と同一の構成を有したものであり、開放角度規制装置２０Ａ，２０Ｂ，２０Ｃは、前記第１実施形態の開放角度規制装置２０と略同一の基本構成を有し、その操作規制手段の構成が第１実施形と相違するものである。以下、相違点について詳しく説明する。
図６〜図８に示す開放角度規制装置２０Ａ，２０Ｂ，２０Ｃでは、前記開放角度規制装置２０の操作つまみ２５に替えて、室内側に突出した被規制部としての操作つまみ２６が延出片２４の室内位置に固定されている。
【００２７】
図６の開放角度規制装置２０Ａでは、網戸１０の縦框１３における室外面から室外側に突出した規制部としての突出部材１５が取り付けられており、網戸１０を窓枠２に取り付けた状態において、突出部材１５の下端面と、規制位置にある操作つまみ２６の上端面とが当接可能になっている。従って、突出部材１５に規制されることで操作つまみ２６が押し上げ操作不能つまり解除位置に移動操作することができず、規制位置に位置規制されるように構成されている。すなわち、互いに当接する操作つまみ２６と突出部材１５とによって本発明の操作規制手段が構成されている。
一方、網戸１０を取り外して操作つまみ２６を解除位置に押し上げ操作した状態から、網戸１０を窓枠２に取り付けようとしても、操作つまみ２６と突出部材１５とが前述した突出部材１５の下端面と操作つまみ２６の上端面以外の箇所、つまり突出部材１５の室外側面と操作つまみ２６の室内側面とが当接するために所定の見込み位置に納まらず、網戸１０を取り付けることができない。従って、操作つまみ２６が解除位置に位置し、障子６の開放角度規制が解除されていることが利用者に判別できるようになっている。
【００２８】
次に、図７の開放角度規制装置２０Ｂでは、網戸１０の縦框１３における室外面から室外側に突出した規制部としての突出部材１６が取り付けられており、網戸１０を窓枠２に取り付けた状態において、突出部材１６と、規制位置にある操作つまみ２６とが当接可能で、これにより操作つまみ２６が解除位置に移動操作不能になって規制位置に位置規制されるように構成されている。すなわち、互いに当接する操作つまみ２６と突出部材１６とによって本発明の操作規制手段が構成されている。
また、突出部材１６の室外側かつ下側には、移動案内部としての傾斜面１６Ａが形成されており、網戸１０を取り外して操作つまみ２６を解除位置に押し上げ操作した状態から、網戸１０を窓枠２に取り付けようとした場合には、操作つまみ２６と突出部材１６の傾斜面１６Ａとが当接することで、操作つまみ２６が押し下げられて規制位置に移動されるようになっている。
【００２９】
次に、図８の開放角度規制装置２０Ｃでは、網戸１０の縦框１３室外面に開口（孔）１３Ｂが形成され、この開口１３Ｂを塞ぐ塞ぎ材かつ規制部としてのカバー１７が設けられている。このカバー１７は、室内側に凹んだ全体箱状に形成されるとともに、その内部に操作つまみ２６と当接可能な移動案内部としての傾斜面１７Ａが形成されている。そして、網戸１０を窓枠２に取り付けた状態において、規制位置にある操作つまみ２６とカバー１７の傾斜面１７Ａとが当接可能で、これにより操作つまみ２６が解除位置に移動操作不能になって規制位置に位置規制されるように構成されている。すなわち、互いに当接する操作つまみ２６とカバー１７とによって本発明の操作規制手段が構成されている。
また、網戸１０を取り外して操作つまみ２６を解除位置に押し上げ操作した状態から、網戸１０を窓枠２に取り付けようとした場合には、操作つまみ２６とカバー１７の傾斜面１７Ａとが当接することで、操作つまみ２６が押し下げられて規制位置に移動されるようになっている。
【００３０】
このような本実施形態によれば、前記（１）〜（３）と略同様の効果に加えて以下の効果が得られる。
（５）図６、図７のような突出部材１５，１６を網戸１０の縦框１３室外面に取り付けて、この突出部材１５，１６で操作つまみ２６の移動を規制することで、縦框１３の孔開け加工をなくして製造工程を簡単化することができるとともに、後付けで網戸１０に規制部を設けることも容易になる。
【００３１】
（６）また、図６の構成によれば、一旦取り外した網戸１０を再度取り付ける際に、操作つまみ２５が解除位置にある場合には、突出部材１５の室外側面が操作つまみ２６の室内側面と当接することで、網戸１０を取り付けることができず、操作つまみ２６が解除位置にあることが利用者に判別でき、解除位置のままで使用し続けるような事態が防止できる。
【００３２】
（７）一方、図７、図８の構成によれば、一旦取り外した網戸１０を再度取り付ける際に、操作つまみ２５が解除位置にあったとしても、突出部材１６の傾斜面１６Ａあるいはカバー１７の傾斜面１７Ａが操作つまみ２６と当接し、操作つまみ２６を押し下げて規制位置に移動させることができる。
【００３３】
（８）また、図８の構成によれば、網戸１０の縦框１３室外面に形成した開口１３Ｂをカバー１７で塞ぐことで、開口１３Ｂから框材内部への埃やゴミ、虫等が入り込むことが防止できる。
【００３４】
なお、本発明は、前記実施形態に限定されるものではなく、本発明の目的が達成できる他の構成等を含み、以下に示すような変形等も本発明に含まれる。
例えば、前記実施形態においては、操作規制手段の被規制部を開放角度規制装置２０，２０Ａ，２０Ｂ，２０Ｃの操作つまみ２５，２６で構成し、規制部を網戸１０の縦框１３に設けた挿通孔１３Ａや突出部材１５，１６、カバー１７で構成したが、操作規制手段は前記構成に限らず、操作部材の移動を規制できるものであれば任意の構成が採用可能である。すなわち、規制部は、窓機能部材としての網戸１０の一部に設けられるものに限らず、次の図９に示すように、窓枠２に固定した規制部材３０で構成されてもよい。
【００３５】
図９は、本発明の変形例に係る建具の要部を示す斜視図である。
図９において、規制部材３０は、縦枠５にビス止め固定される規制部本体３１と、規制部本体３１の上下端部から室外側に延びる一対の規制片部３２とを有して構成されている。一対の規制片部３２は、前記第２実施形態と同様の操作つまみ２６の上下端面に沿って位置し、操作つまみ２６の移動操作を規制するものであり、これにより操作つまみ２６の誤操作が防止できるようになっている。そして、規制部材３０は、ビスを外すことで縦枠５から取り外し可能になっており、規制部材３０を取り外せば操作つまみ２６の位置規制が解除され、操作つまみ２６を規制位置から解除位置に移動操作することで、必要に応じて障子６を全開することができる。
【００３６】
また、前記実施形態では、操作つまみ２５，２６を規制位置にて移動操作不能に規制する場合について説明したが、これに限らず、解除位置つまり角度規制アーム２２と障子６との連結が外れる側に移動させた位置にて操作部材を位置規制してもよい。
また、前記実施形態では、開放角度規制装置２０，２０Ａ，２０Ｂ，２０Ｃの支持部２１および角度規制アーム２２が縦枠５（窓枠２）側に設けられ、連結受け部２３が縦框７（障子６）側に設けられた構成について説明したが、開放角度規制装置（手段）の構成は、前記実施形態に限定されるものではなく、任意の構成が採用可能である。さらに、前記実施形態では、操作部材としての延出片２４および操作つまみ２５が縦枠５（窓枠２）側に設けられていたが、操作部材が障子６側に設けられていてもよい。
【００３７】
また、前記実施形態では、窓機能部材として網戸１０を採用したが、窓機能部材は網戸に限らず、ブラインドやロールスクリーンなどであってもよい。
また、前記第１実施形態では、網戸１０の縦框１３に形成した挿通孔１３Ａに操作つまみ２５の突出片部２５Ａ（被規制部）を挿入する構成としたが、挿通孔１３Ａに適宜な塞ぎ材を設けて凹部を形成し、この凹部に被規制部が挿入されるようにしてもよい。さらに、挿通孔１３Ａをゴムや樹脂等の弾性材料からなる塞ぎ材で塞ぎ、この塞ぎ材を撓ませて被規制部が挿入されるようにしてもよい。このような塞ぎ材を設けることで、框材への埃やゴミ、虫等が入り込むことが防止できる。
【００３８】
その他、本発明を実施するための最良の構成、方法などは、以上の記載で開示されているが、本発明は、これに限定されるものではない。すなわち、本発明は、主に特定の実施形態に関して特に図示され、かつ説明されているが、本発明の技術的思想および目的の範囲から逸脱することなく、以上述べた実施形態に対し、形状、材質、数量、その他の詳細な構成において、当業者が様々な変形を加えることができるものである。
従って、上記に開示した形状、材質などを限定した記載は、本発明の理解を容易にするために例示的に記載したものであり、本発明を限定するものではないから、それらの形状、材質などの限定の一部もしくは全部の限定を外した部材の名称での記載は、本発明に含まれるものである。
【図面の簡単な説明】
【００３９】
【図１】本発明の第１実施形態に係る建具の一部を示す横断面図である。
【図２】前記建具の障子を省略して示す縦断面図である。
【図３】前記建具の要部を拡大して示す横断面図である。
【図４】前記建具に設けた障子の開放角度規制手段を示す側面図である。
【図５】前記開放角度規制手段を示す室内側から見た側面図である。
【図６】本発明の第２実施形態に係る建具に設けた開放角度規制手段を示す側面図である。
【図７】前記実施形態の変形例に係る開放角度規制手段を示す側面図である。
【図８】前記実施形態の変形例に係る開放角度規制手段を示す側面図である。
【図９】本発明の変形例に係る建具の要部を示す斜視図である。
【符号の説明】
【００４０】
２…窓枠、６…障子、１０…網戸（窓機能部材）、１３…縦框、１３Ａ…挿通孔（規制部）、１３Ｂ…開口（孔）、１５，１６…突出部材、１６Ａ，１７Ａ…傾斜面（移動案内部）、１７…カバー（塞ぎ材、規制部）、２０…開放角度規制装置（開放角度規制手段）、２２…角度規制アーム、２４…延出片（操作部材）、２５，２６…操作つまみ（操作部材）、２５Ａ…突出片部（被規制部）、３２…規制片部（規制部）。
【図１】
2008163548.tif 000003
【図２】
2008163548.tif 000004
【図３】
2008163548.tif 000005
【図４】
2008163548.tif 000006
【図５】
2008163548.tif 000007
【図６】
2008163548.tif 000008
【図７】
2008163548.tif 000009
【図８】
2008163548.tif 000010
【図９】
2008163548.tif 000011